(57)【要約】  本発明は、表示制御部４によって制御される表示部２に情報を表示するシステムおよび方法に関する。表示制御部４は、記憶装置５およびプログラム７を有する。記憶装置５には、相応の優先度を有する複数のテーマが格納されている。各テーマにはデータソース、すなわち、電話８，ラジオ９またはナビゲーションシステム１０が一義的に対応付けられている。最も優先度の高いテーマはメイン表示ウィンドウＦＧに、また優先度の低い別のテーマはサブ表示ウィンドウＦ１，Ｆ２およびＦ３に表示される。複数のサブ表示ウィンドウのうちの１サブ表示ウィンドウの情報が変更されると、関連するテーマが一時的にメイン表示ウィンドウＦＧに表示される。
2005512887.tif 000002
【特許請求の範囲】
【請求項１】
車両の情報表示システムにおいて、
該システムは、
−  テーマに対応付けられた情報をメイン表示ウィンドウ（ＦＧ）および１つまたは複数のサブ表示ウィンドウ（Ｆ１，Ｆ２，Ｆ３）に表示する表示装置（１）と、
−  テーマを記憶し、また最も高い優先度をテーマの１つに対応付ける手段（５）と、
−  前記表示装置への表示を生成して、優先度の最も高いテーマに対応付けられた情報をメイン表示ウィンドウに表示し、優先度の低いテーマに対応付けられた情報をサブウィンドウに表示する手段（４）とを有することを特徴とする、
車両の情報表示システム。
【請求項２】
入力および／または前記の記憶のための手段からテーマを選択するため、および／または少なくとも最も高い優先度また有利には一義的な優先度を、選択された各テーマに対応付けるためにユーザ用の入力手段（６）を有する、
請求項１に記載のシステム。
【請求項３】
前記表示装置は、前記入力手段を実現するためタッチスクリーンとして構成されている、
請求項２に記載のシステム。
【請求項４】
前記入力手段に対して、グラフィックなユーザインタフェースが表示部に設けられている、
請求項２または３に記載のシステム。
【請求項５】
前記メイン表示ウィンドウを表示するための４：３フォーマットのメイン表示エリア（２）と、１つまたは複数のサブ表示ウィンドウを表示するためのサブ表示エリア（３）とを有し、
前記メイン表示エリアおよびサブ表示エリアによって形成される全エリアは、１６：９フォーマットを有する、
請求項１から４までのいずれか１項に記載のシステム。
【請求項６】
前記の１つまたは複数のサブ表示ウィンドウは、あらかじめ定めたサイズを有する、
請求項５に記載のシステム。
【請求項７】
サブ表示ウィンドウのサイズは、利用可能なサブエリアから、前記サブ表示ウィンドウの数で割ることによって得られる、
請求項６に記載のシステム。
【請求項８】
ウィンドウサイズは、データソースによってそれ自体で変更することもでき、
有利には該ウィンドウサイズは、別のデータソースにより広い表示スペースを与えるために縮小される、
請求項５に記載のシステム。
【請求項９】
データソースは、そのウィンドウに別のサブウィンドウを定め、
当該サブウィンドウを表示のために別のデータソースに提供する、
請求項１から８までのいずれか１項に記載のシステム。
【請求項１０】
前記データソースは、相手を特定して別のデータソースのサブウィンドウを照会するか、または内容を対応付け、
例えば、データソース「ナビゲーション地図」は、データソース「ガイド部」に１ウィンドウを対応付け、ＧＰＳ受信品質表示するためのデータソース「測位部」に別の小さいな１ウィンドウを対応付ける、
請求項９に記載のシステム。
【請求項１１】
前記のテーマと該テーマに対応付けられた優先度とを記憶するための記憶装置（５）を備えた表示制御部（４）を有する、
請求項１から１０までのいずれか１項に記載のシステム。
【請求項１２】
データソース（Ｄｉ）の集合を接続するための手段（４，７，１１）を有し、
各データソースを構成して、情報をテーマに供給するようにした
請求項１から１１までのいずれか１項に記載のシステム。
【請求項１３】
サブ表示ウィンドウの１つに表示するため、テーマに対応付けられた情報を段階付けする手段（１３，１５，１６）を有する、
請求項１から１２までのいずれか１項に記載のシステム。
【請求項１４】
相応する情報が変更された場合、サブ表示ウィンドウを視覚的に強調する手段を有する、
請求項１から１３までのいずれか１項に記載のシステム。
【請求項１５】
相応する情報が変更された場合、データソースの対応付けをサブ表示ウィンドウからメイン表示ウィンドウに変更する手段（１７）を有する、
請求項１から１４までのいずれか１項に記載のシステム。
【請求項１６】
前記の対応付けを変更する手段を構成して、変更された情報を認知したことをドライバが確認した後、または所定時間の経過後、元の対応付けを行う、
請求項１５に記載のシステム。
【請求項１７】
１サブ表示ウィンドウに対応付けられている各データソースにメッセージを送信する手段を有しており、
該メッセージには、関連するサブ表示ウィンドウのサイズについてのデータが含まれている、
請求項１から１６までのいずれか１項に記載のシステム。
【請求項１８】
車両インフォテイメントシステムにおいて、
請求項１から１７までのいずれか１項に記載のシステムと、
情報を供給するデータソース（Ｄｉ）とを有することを特徴とする、
車両インフォテイメントシステム。
【請求項１９】
各データソースの情報を段階付ける手段（１３，１５，１６）を有しており、
これによって、相応するサブ表示ウィンドウのサイズに依存して段階付けが行われる、
請求項１８に記載の車両インフォテイメントシステム。
【請求項２０】
メッセージを送信する手段（１３，１５，１６）を各データソースに有しており、これにより、表示を生成する手段に対して、相応する情報の変更がシグナリングされる、
請求項１８または１９に記載のシステム。
【請求項２１】
車両の情報表示方法において、
−  最も優先度の高いテーマに対応付けられた情報をメイン表示ウィンドウに表示するステップと、
−  優先度の低いテーマに対応付けられた情報をサブ表示ウィンドウに表示するステップと、
−  前記の優先度の低いテーマの情報が変更された場合またはユーザの相応の入力に起因して、前記の優先度の低いテーマをメイン表示ウィンドウに、また最も優先度の高いテーマをサブ表示ウィンドウに表示するステップとを有することを特徴とする、
車両の情報表示方法。
【請求項２２】
前記テーマの選択および優先度の対応付けをユーザが行う、
請求項２１に記載の方法。
【請求項２３】
有利には所定の時間の間、または変更された情報を認知したことをユーザが確認するまで前記の対応付けを一時的に変更する、
請求項２２に記載の方法。
【請求項２４】
優先度の低いテーマに対応付けられた情報が変更された際、前記対応付けを変更する前に、相応するサブ表示ウィンドウを視覚的に強調する、
請求項２１から２３までのいずれか１項に記載の方法。
【請求項２５】
サブ表示ウィンドウのサイズを含む各メッセージを、サブ表示ウィンドウに対応付けられた各データソースに送信し、
優先度の低いテーマに対付けられた情報の段階付けを当該の各データソースにて行う、
請求項２１から２４までのいずれか１項に記載の方法。
【請求項２６】
前記の情報の段階付けをデータソースにて行い、段階付けされた当該の情報が、相応するサブ表示ウィンドウにてユーザに視覚的に捉えられるようにする、
請求項２５に記載の方法。
【請求項２７】
前記の情報の段階付けをデータソースにて行い、相応するウィンドウサイズがないか、またはウィンドウがまったく利用できない場合、前記情報を音響的出力にまで縮小する、
請求項２５に記載の方法。
【請求項２８】
コンピュータプログラムにおいて、
請求項２１から２７までのいずれか１項に記載の方法を実行することを特徴とする、
コンピュータプログラム。
【発明の詳細な説明】
【技術分野】
【０００１】
本発明は、例えば自動車に対する情報表示方法および装置ならびに車両インフォテイメントシステムに関する。
【０００２】
すでに従来技術から、情報を表示するためおよび娯楽に対してドライバ情報システムが公知である。公知のシステムでは、表示は所定の表示マスク（Anzeigemaske）およびフロー（Ablauf）内で行われる。ウィンドウに表示される情報の内容および表示の仕方は、固定されているのである。
【０００３】
このようなドライバ情報システムは、オンボードコンピュータから供給される車両情報の表示に、ナビゲーション装置に、またはオーディオシステムに対する表示に、例えばディジタルオーディオブロードキャストシステム（Digital Audio Broadcast System）に使用される。相応するシステムは、JP 09062475 A，JP 07271824 AおよびWO 9923454 Aからも公知である。
【０００４】
これらの従来公知のシステムにおける共通の欠点は、相異なるテーマ領域に対応付けられる情報の表示が、あらかじめ固定されて行われることである。これにより、例えば、つぎのようなことになる。すなわち、相応に装備がなされた自動車において、ドライバ情報システムは、新たなＨＭＩソフトウェアをインストールしてはじめて、新たなモジュールまたは例えばＰＤＡの情報を表示することができるということになるのである。またオンボードコンピュータ、ナビゲーションシステム、オーディオシステムおよび電話の情報は、目下の重要度に応じて表示されない。
【０００５】
したがって本発明の課題は、車両の情報を表示するシステムおよび方法を改善することである。
【０００６】
本発明の基礎にある上記の課題は、請求項１、請求項１８、請求項２１および請求項２８に記載された特徴的構成によってそれぞれ解決される。本発明の有利な実施形態は、従属請求項に記載されている。
【０００７】
本発明の車両の情報表示システムは、テーマに対応付けられた情報をメイン表示ウィンドウおよび１つまたは複数のサブ表示ウィンドウに表示する表示装置と、テーマを記憶し、また最も高い優先度をテーマの１つに対応付ける手段と、上記表示装置への表示を生成して、優先度の最も高いテーマに対応付けられた情報をメイン表示ウィンドウに表示し、優先度の低いテーマに対応付けられた情報をサブウィンドウに表示する手段とを有する。
【０００８】
本発明によって可能になるのは、相異なるテーマに対応付けられた情報をただ１つの表示装置の別個のウィンドウに同時に表示することである。ここで殊に有利であるのは、ドライバの注意が都度最も関連の深い情報に向けられるように情報の段階付けが行われることである。このようにすることの著しい利点は、目下関連する情報にドライバが集中することにより、事故の危険性が格段に低減されることである。
【０００９】
上記の段階付けにより、情報の表示は、ウィンドウサイズおよび形態に適合される。ウィンドウサイズが十分でない場合、例えば、語の除去、様々色付けされたシンボルまたはアイコンまでも含めた略語の利用、または単に音響的に出力することによって情報は縮小されるのである。
【００１０】
本発明の有利な実施形態では、上記の情報の段階付けは、データソースにおいて、すなわち例えば、このシステムに接続されたナビゲーションシステム、移動電話、オーディオシステム、インターネットシステムおよびこれに類似ものにおいて行われ、段階付けは、利用可能なウィンドウサイズに依存して行われる。
【００１１】
本発明の別の有利な実施形態では、ウィンドウサイズは、データソースによってそれ自体で変更することも可能である。有利にはウィンドウサイズは、別のデータソースにより広い表示スペースを与えるために縮小される。
【００１２】
本発明の別の有利な実施形態では、データソースは、そのウィンドウに別のサブウィンドウを定め、このサブウィンドウを別のデータソースに提供する。
【００１３】
本発明の別の実施形態では、データソースは、相手を特定して別のデータソースのサブウィンドウを照会するか、または内容を対応付ける。例えば、データソースであるナビゲーション部は、データソースであるガイド部に１ウィンドウを対応付け、またＧＰＳ受信品質を表示するための測位部に別の小さな１ウィンドウを対応付ける。
【００１４】
本発明の別の有利な実施形態では、ユーザは、「メーカ設定」を変更し、相異なるテーマから選択し、また相異なる優先度のテーマに割り当てることができる。これにより、ユーザは、このユーザにとって都度最も関連の深い情報の構成を決定することができる。
【００１５】
本発明の別の有利な実施形態では、サブ表示ウィンドウのテーマの情報が変更された場合、このサブ表示ウィンドウのテーマの対応付けがメイン表示ウィンドウに変更される。このような対応付けの変更の前、サブ表示ウィンドウはまず、例えば、色または点滅によって視覚的に強調され、ドライバの注意をこのサブ表示ウィンドウに向けさせることできる。またはこれを音響的に行うことも可能である。さらにこの変更をつぎのことに依存させることも可能である。すなわち、サブウィンドウの情報が、メインウィンドウの情報よりも高い優先度および／または重要度を有するか否かに依存させることも可能である。
【００１６】
あらかじめ設定した時間内に、サブ表示ウィンドウの変更された情報を認知したことをドライバが確認した場合、視覚的な強調は終了されて対応付けの変更は行われない。しかしながらドライバによるこのような確認が行われない場合、対応付けの変更がこのシステムによって自動的に行われ、前にサブ表示ウィンドウに表示されていた情報がメイン表示ウィンドウにおいてドライバに提示されて、変更された情報にドライバの注意が向けられる。変更されたメイン表示ウィンドウに表示された情報をドライバが確認した後、対応付けの変更を終えて元のようにし、再び開始状態にすることができる。
【００１７】
対応付けを変更する際、すなわち、前にサブ表示ウィンドウに表示していた情報をメイン表示ウィンドウに表示する際には、このテーマの情報の段階付けを止めることができる。すなわち、相応するデータソースによる段階付けなしに、利用可能なすべての情報を呼び出して表示ウィンドウに表示することできる。
【００１８】
本発明の別の実施形態では、メイン表示ウィンドウは、４：３のフォーマットを有し、これに対してサブ表示ウィンドウは、サブエリアに表示される。メイン表示ウィンドウに対するメインエリアと、サブエリアとからなる全体エリアは、この場合、有利には１６：９の表示比（Anzeigeverhaeltnis）である。このようにすることの利点は、４：３のディスプレイに表示するための表示データを出力する既存のデータソースを、１６：９の表示比に対して変更せずに引き続き使用できることである。
【００１９】
本発明の１実施形態では、入力および／または上記の記憶のための手段からテーマを選択するため、および／または少なくとも最も高い優先度また有利には一義的な優先度を、選択された各テーマに対応付けるためにユーザ用の入力手段を有する。
【００２０】
本発明の１実施形態では、上記表示装置は、入力手段を実現するためタッチスクリーンとして構成されている。また入力手段に対して、グラフィックなユーザインタフェースが表示部に設けられている。
【００２１】
本発明の１実施形態では、前記入力手段に対して、グラフィックなユーザインタフェースが表示部に設けられている。
【００２２】
本発明の１実施形態では、前記の１つまたは複数のサブ表示ウィンドウは、あらかじめ定めたサイズを有する。
【００２３】
本発明の１実施形態では、サブ表示ウィンドウのサイズは、利用可能なサブエリアから、サブ表示ウィンドウの数で割ることによって得られる。
【００２４】
本発明の１実施形態では、データソースの集合を接続するための手段を有し、各データソースが、情報をテーマに供給するように構成されている。
【００２５】
本発明の別の有利な実施形態では、１サブ表示ウィンドウに対応付けられている各データソースにメッセージを送信する手段を有しており、このメッセージには、関連するサブ表示ウィンドウのサイズについてのデータが含まれている。
【００２６】
本発明ではまたインフォテイメントシステムも提案され、このインフォテイメントシステムは、上記のシステムと、情報を供給するデータソースとを有する。
【００２７】
本発明の１実施形態では、メッセージを送信する手段を各データソースに有しており、これにより、表示を生成する手段に対して、相応する情報の変更がシグナリングされる。
【００２８】
本発明では、車両の情報表示方法も提案される。ここでこの方法は、最も優先度の高いテーマに対応付けられた情報をメイン表示ウィンドウに表示するステップと、優先度の低いテーマに対応付けられた情報をサブ表示ウィンドウに表示するステップと、上記の優先度の低いテーマの情報が変更された場合またはユーザの相応の入力に起因して、上記の優先度の低いテーマをメイン表示ウィンドウに、また最も優先度の高いテーマをサブ表示ウィンドウに表示するステップとを有する。
【００２９】
さらに本発明ではコンピュータプログラムも提案され、ここでこのコンピュータプログラムは、本発明による車両の情報表示方法を実行するコンピュータプログラムである。
【００３０】
以下では本発明の有利な実施形態を、図面に基づいて詳しく説明する。ここで、
図１は、本発明による情報表示システムの１実施形態のブロック図を示しており、
図２は、本発明による情報表示方法の第１実施形態の流れ図を示しており、
図３は、メインないしはサブ表示ウィンドウへのデータソースの対応付け変更が行われる本発明による方法の第２実施形態を示しており、
図４は、対応付け変更の前に視覚的な強調が付加的に行われる本発明の方法における別の有利な実施形態を示している。
【００３１】
図１には、車両において、例えば自動車において情報を表示するシステムのブロック図が示されている。図１のシステムは、例えば、情報および娯楽データを表示するいわゆるインフォテイメントシステム（Infotainmentsystem）とすることが可能である。
【００３２】
図１のシステムは、表示装置１を有している。表示装置１は、表示装置１のメインエリア２にメイン表示ウィンドウＦＧを表示するために使用される。さらに表示装置１は、１つまたは複数のサブ表示ウィンドウを表示するサブエリア３を有している。図１に示した実施例ではこれらはサブ表示ウィンドウＦ１，Ｆ２およびＦ３である。
【００３３】
メインエリア２は有利には４：３の辺の比を有しており、メインエリア２とサブエリア３とから得られる全体エリアは１６：９の辺の比を有する。
【００３４】
表示装置１には表示制御部４が接続されている。表示制御部４により、表示装置１に表示される画像データが供給される。
【００３５】
表示制御部４は、複数のテーマと各テーマに対応付けられた優先度とのリストを記憶するための記憶装置５を有する。図示の実施例では、これらは、テーマ「電話」、「ラジオ」、「ナビゲーション」、「Ｅメール」、「インターネット」および「車両データ」である。これらのテーマからユーザは、入力装置６を介して１つまたは複数のテーマを選択し、これらのテーマに優先度を対応付けることができる。図示の実施例ではユーザは、入力装置６を介し、優先度順にテーマ「ナビゲーション」、「電話」、「ラジオ」および「Ｅメール」を選択している。
【００３６】
相応してテーマ「ナビゲーション」には最も高い優先度「１」が対応付けられており、またテーマ「Ｅメール」には最も低い優先度「４」が対応付けられている。これに対してこのユーザは「インターネット」および「車両データ」を選択していない。有利にはメーカ側でテーマを相応の優先度で設定し、ユーザが固有の選択を必ずしもしなくてもよいようにする。
【００３７】
さらに表示制御部４はプログラム７を有している。プログラム７は、表示制御部４の各機能に対する様々なプログラムモジュール、つまり、例えば画像データの生成および以下に説明する別の機能に対する様々なプログラムモジュールを含んでいる。
【００３８】
図１のシステムはさらに、複数のデータソースを有し、例えば、電話８，ラジオ９およびナビゲーションシステム１０ならびに図１には分かりやすくするために図示していない別のデータソース、例えば、Ｅメールおよびインターネットアクセスと、車両データを供給するオンボードコンピュータと、ラジオ受信器とを有する。
【００３９】
各データソース８，９，１０…は、バス１１を介して表示制御部４に接続されている。バス１１は、自動車において通例のバス、例えばＭＯＳＴ，ＣＡＮまたはFireWireデータバスまたは無線接続、例えばBluetoothとすることができる。
【００４０】
図１のシステムの初期化時には、優先度「１」、すなわち最も優先度の高いテーマ「ナビゲーション」は、プログラム７により、メイン表示ウィンドウＦＧに対応付けられる。これに対して優先度の低いテーマ「電話」、「ラジオ」および「Ｅメール」は、プログラム７により、サブ表示ウィンドウＦ１，Ｆ２ないしＦ３に対応付けられる。その一方テーマ「インターネット」および「車両データ」は、サブ表示ウィンドウに対応付けられない。それはこのユーザが、入力装置６を介してこれを前もって選択しなかったからである。
【００４１】
優先度の低い３つのテーマから、サブウィンドウ３が、同じサイズの３サブ表示ウィンドウに分割されることになる。サブウィンドウ３のこのような分割は、同様にプログラム７によって自動的に計算される。ここから得られるウィンドウサイズは、プログラム７により、バス１１を介するメッセージを用いて、これらの優先度の低いテーマに対応付けられたデータソースに通知される。相応して電話８，ラジオ９ならびに図１に示されていないＥメールアクセスは、サブ表示ウィンドウのウィンドウサイズを含むこのようなメッセージを受け取る。
【００４２】
電話８には様々な情報１２が存在し、例えば、電界強度、送信ネットワーク、時刻、発呼者の電話番号ならびに電話８のメールボックス機能、例えば、メールボックスにメッセージがあることを示すインジケータがある。これらの情報および電話８にある別の情報から、電話８のプログラム１３は、最も関連の深い情報を選択する。これらの情報は、電話８に対応付けられたサブ表示ウィンドウの利用可能なエリアに、ドライバが読み取ることができるように表示することが可能である。
【００４３】
この場合には電話８にある情報の段階付けはプログラム１３によって行われ、情報のフィルタリングがなされる。例えば、プログラム１３は、情報「電界強度」、「送信ネットワーク」および「時刻」ならびに別の情報をマスクし、これによって最も関連の深い情報、すなわち到来する電話コールおよびメールボックス内のメッセージについての情報だけを選択するのである。
【００４４】
相応する情報１４がラジオ９に存在する。すなわち「電界強度」、「放送局」、「時刻」、「交通情報」および「ＲＤＳ」ならびに別の情報が存在するのである。ここでもプログラム１３に相応するプログラム１５により、これらの情報も段階付けられる。例えば、プログラム１５は情報１４から放送局の表示だけを選択する。相応するプログラムは、Ｅメールアクセス、インターネットアクセスならびにオンボードコンピュータにも設けられている。
【００４５】
ナビゲーションシステム１０も同様にナビゲーションシステム１０の情報１７を段階付けするプログラム１６を含む。ナビゲーションシステム１０の情報１７とは、例えば、ルート案内情報の地図表示、ルート案内情報のピクトグラム式の表示、目的地までの距離、到着時刻の提示ならびにルートオプション（Routenoption）のことである。プログラム１６は、図示の実施例においてアクティブ化されていない。それはこのナビゲーションシステムにはメインウィンドウＦＧが利用できないからである。
【００４６】
ナビゲーションシステム１０は以下でメインエリア２に４：３の形式で表示するために情報を相応に供給する。しかしながら後の時点にナビゲーションシステム１０がサブ表示ウィンドウのウィンドウサイズを有するメッセージを受け取ると、プログラム１６はアクティブ化され、情報１７の段階付けを行う。例えば、この場合、スペースを節約するピクトグラム式のルート案内情報の表示が選択され、他の情報１７をマスクする。
【００４７】
優先度の低いデータソースのうちの１データソースの情報、すなわち、例えば電話８またはラジオ９の情報が変更されると、これはつぎのような作用をもたらす。すなわち、例えば、電話８に電話がかかると、情報１２の変更に起因してプログラム１３によって表示制御部４に対するメッセージが生成され、これがバス１１を介して表示制御部４に伝送されるのである。
【００４８】
表示制御部４でこのメッセージが受信されると、表示エリアへの電話８の対応付けが変更される。すなわち、電話８はプログラム７により、少なくとも一時的にメイン表示ウィンドウＦＧに対応付けられて、電話８から供給されるデータがメイン表示ウィンドウＦＧに表示されるのである。これに対してナビゲーションシステム１０から供給されるデータは、サブ表示ウィンドウＦ１に対応付けられる。ここでこのサブ表示ウィンドウは、前に電話８のデータを表示するために使用されていたウィンドウである。
【００４９】
ナビゲーションシステム１０のデータを段階付けするためにプログラム７は、サブ表示ウィンドＦ１のウィンドウサイズを有する相応のメッセージを生成し、これがこの表示制御部により、バス１１を介してナビゲーションシステム１０に伝送される。つぎにナビゲーションシステム１０のプログラム１６は、情報１７の相応する段階付けを行い、バス１１を介して今度は段階付けした情報を制御部４に送信する。この制御部ではプログラム７を用いて、ナビゲーションシステム１０の段階付けされた情報のサブ表示ウィンドウＦ１への表示が生成される。
【００５０】
対応付けの変更が行われる前に、プログラム７により、まず電話８に対応付けられたサブ表示ウィンドウＦ１の視覚的な強調を生成することが可能である。ここでこれは例えば、サブ表示ウィンドウＦ１の色による強調、点滅、フォントタイプの変更、サブ表示ウィンドウのレイアウトの変更または類似のものによって行われる。視覚的な強調の開始後、ユーザすなわちドライバが、入力装置６を介する相応の入力により、所定の時間内にこの情報を認知したことを確認すると、この視覚的な強調は終了する。
【００５１】
そうでない場合、対応付けの変更が行われ、電話８はメイン表示ウィンドウＦＧに対応付けられ、ナビゲーションシステム１０はサブ表示ウィンドウＦ１に対応付けられる。ここでも所定の時間の後またはこの情報を認知したことをユーザが確認した後、表示制御部４は元のように開始状態に戻る。このために必要となり得るのは、少なくともナビゲーションシステム１０にあらたにメッセージを送信して、ナビゲーションシステム１０から供給される情報の段階付けを元に戻すことである。
【００５２】
有利には表示装置１をいわゆるタッチスクリーンとして構成して、ユーザが表示装置１を介して直接入力できるようにする。択一的には入力装置として、例えば、キーボードまたは押し答えのある、例えば、ジョイスティックに類似した装置を設けることができる。
【００５３】
図２には、例えば、図１に示した装置を用いて情報を表示する本発明の方法の１実施例が示されている。
【００５４】
最初にステップ２０ではユーザにより、テーマの選択が行われる。択一的にはこのテーマの選択は、システムによってあらかじめ設定することも可能である。さらにこのテーマの選択は、都度の走行状況に関連してドライバアシスタントシステムによって自動的に行うことが可能である。
【００５５】
ステップ２２ではテーマの優先度が決定される。この決定もユーザが入力するか、またはあらかじめ固定して設定することも可能である。これらの優先度も、例えば、走行状況に応じてドライバアシスタントシステムによって自動的に定めることができる。
【００５６】
ステップ２４ではつぎに、優先度の最も高いテーマがメイン表示ウィンドウＦＧに表示される。これに対して種々異なる優先度を有する、優先度の低いテーマは、サブ表示ウィンドウＦｉに表示される。サブ表示ウィンドウは、例えばそれぞれ同じサイズを有するか、または関連する優先度の低いテーマの優先度に応じて相異なるサイズを有することも可能である。
【００５７】
ステップ２６においてシステムにより、チェックされるのは、テーマの優先度の変更が行われたか否かである。優先度の低いテーマの情報が変更された場合、その優先度が引き上げられる。これに加えてこのテーマは、例えば、ステップ２８においてメイン表示ウィンドウＦＧに対応付けられ、このテーマはフルサイズで表示される。この新たな対応付けは、例えば、所定の時間の間、またはドライバによる確認が行われるまでの一時的なものとすることができる。
【００５８】
ステップ２６におけるチックによって優先度の変更が発生していない場合、ステップ２４における表示は変化しない。
【００５９】
図３には本発明の方法の別の有利な実施形態が示されている。
【００６０】
ステップ３０では、それぞれ対応付けられた優先度を有する、表示すべきテーマにアクセスが行われる。ここでこのシステムにおいて各テーマには所定のデータソースＤが対応付けられる。これは例えば、表示制御部の記憶装置における相応のアドレスを指定することによって行われる（図１の表示制御部４の記憶装置５を参照されたい）。
【００６１】
ステップ３２では、優先度の低いテーマに対応付けられているすべてのデータソースＤｉにメッセージが自動的に送信される。各メッセージは、関連するデータソースの情報を表示すべきサブ表示ウィンドウのウィンドウサイズを指定する情報を含んでいる。
【００６２】
ステップ３４では、優先度の低いテーマに対応付けられている各データソースＤｉにおいて、関連するサブ表示ウィンドウＦｉに表示すべき情報が選択される。この際に情報を選択するため、例えば、各データソースにおいてプログラムまたはリストがそれぞれ使用されて、関連するデータソースＤｉに存在する、最も重要な複数の情報が選択される。サブ表示ウィンドウの利用可能なウィンドウサイズを考慮して、重要度により、情報をこのように選択することは、情報の段階付けとも称される。
【００６３】
ステップ３６では例えば、表示制御部（図１の表示制御部４を参照されたい）により、表示すべき情報をデータソースから受け取る。すなわち、優先度の最も高いテーマのデータソースＤＧと、優先度の低いテーマに対応付けられている別のデータソースＤｉとから情報を受け取るのである。
【００６４】
つぎに、関連する情報は、表示装置（図１の表示装置１を参照されたい）の相異なるウィンドウに表示される。ステップ３８において、優先度の最も高いテーマに対応付けられたデータソースＤＧから供給される情報はメイン表示ウィンドウＦＧに、また優先度の低いテーマに対応付けられたデータソースＤｉから供給される情報はそれぞれサブ表示ウィンドウＦｉに表示される。
【００６５】
ステップ４０でチェックされるのは、複数のウィンドウＦｉのうちの１つのウィンドウで情報が変更されたか否かである。変更されていない場合、ステップ３８において表示は変更されないままである。しかしながら情報が変更されている場合、ステップ４２において、情報が変更されたデータソースＤｋのメイン表示ウィンドウＦＧへの少なくとも一時的な対応付けの変更と、優先度の最も高いテーマに対応付けられたデータソースＤＧのサブ表示ウィンドウＦｋへの少なくとも一時的な変更が行われる。すなわち、情報が変更されたデータソースＤｋの表示ウィンドウへの対応付けと、優先度が最も高いテーマに対応付けられたデータソースＤＧの表示ウィンドウへの対応付けとが、少なくとも一時的に交換されるのである。
【００６６】
優先度の低いテーマに対応付けられた複数のデータソースの情報が実質的に同時に変更される場合も発生し得る。この場合、これらの優先度の低い複数のテーマのうちで、変更された情報を有する最も高い優先度がシステムによって選択され、関連するデータソースがメイン表示ウィンドウに対応付けられる。これはここでも一時的に行うことができ、所定の時間後またはドライバによる確認の後、変更された情報を有し優先度のつぎに低い、優先度の低いテーマがメイン表示ウィンドウに対応付けられる。これは、変更された情報を有する、優先度の低いテーマのすべてがメイン表示ウィンドウに順次に対応付けられることによって処理し尽くされるまで行われる。
【００６７】
図４には本発明の方法の別の有利な実施形態が示されている。図４の方法のステップ４３〜５０は、図３の実施形態のステップ３０〜４０と同じである。図３の実施形態とは異なり、ステップ５２では対応付けの変更は行われず、関連するＦｉの強調がまず行われ、ここでこのＦｉに対応する優先度の低いテーマは、情報が変更されている。この強調は、音響的または視覚的に行うことができ、例えば、ウィンドウＦｉにおける点滅、色の変更または文字の変更によって行うことができる。
【００６８】
所定の時間内にユーザ、有利にはドライバは、ウィンドウＦｉの変更された情報を認知したことを確認することができる。このような確認が所定の時間内に行われない場合、ウィンドウＦｉへのデータソースＤｉの対応付けは、少なくとも一時的に中止され、データソースＤｉはメイン表示ウィンドウＦＧに新たに対応付けられる。相応してデータソースＤＧを有する優先度の最も高いテーマは、サブ表示ウィンドウＦｉに少なくとも一時的に新たに対応付けられる。このように情報が変更された優先度の低いテーマは、少なくとも一時的にメイン表示ウィンドウに表示され、その一方で優先度の最も高いテーマはサブ表示ウィンドウに表示されるのである。これはステップ５４で行われる。
【００６９】
ステップ５５では表示の開始状態が復元される。詳しくいうと、所定の時間の後か、または変更された情報を認知したことをドライバが確認した後にこの開始状態が復元される。
【図面の簡単な説明】
【００７０】
【図１】本発明による情報表示システムの１実施形態を示すブロック図である。
【図２】本発明による情報表示方法の第１実施形態を示す流れ図である。
【図３】メインないしはサブ表示ウィンドウへのデータソースの対応付け変更が行われる本発明による方法の第２実施形態を示す図である。
【図４】対応付け変更の前に視覚的な強調が付加的に行われる本発明の方法における別の有利な実施形態を示す図である。
【符号の説明】
【００７１】
表示装置                １
メインエリア            ２
サブエリア              ３
表示制御部              ４
記憶装置                ５
入力装置                ６
プログラム              ７
電話                    ８
ラジオ                  ９
ナビゲーションシステム  １０
バス                    １１
情報                    １２，１４，１７
プログラム              １３，１５，１６
ステップ  ２０−５５
【図１】
2005512887.tif 000003
【図２】
2005512887.tif 000004
【図３】
2005512887.tif 000005
【図４】
2005512887.tif 000006
【国際調査報告】
2005512887.tif 000007
2005512887.tif 000008
2005512887.tif 000009
2005512887.tif 000010